(57)【要約】【課題】本発明は、ネクタイ等をしても衿が型崩れしにくく、使用者の首回りに合わせて伸縮可能なシャツを提供する。【解決手段】本体部と、衿を有し、衿は、衿羽根と、台衿を有し、衿羽根は、台衿を介して本体部の上端部と接続されており、台衿は、経糸と緯糸が交差するように織られた生地で構成されるものであり、台衿の生地は、経糸及び緯糸のそれぞれ延び方向が台衿の延び方向に対して交差するものであって、台衿の延び方向に伸縮可能であり、台衿の上端部近傍は、上側縁部に沿って衿羽根と縫製され、かつ、延び方向の端部近傍に衿羽根と縫製されない部分があり、台衿の下端部近傍は、下側縁部に沿って本体部と縫製されており、台衿は、衿を寝かせたときに、延び方向において、衿羽根と縫製されない部分が本体部に対して相対的に伸縮可能となっている構成とする。【選択図】図３
2020007684.tif 000002
【特許請求の範囲】
【請求項１】
本体部と、衿を有し、
前記衿は、衿羽根と、台衿を有し、
前記衿羽根は、前記台衿を介して前記本体部の上端部近傍と接続されており、
前記台衿は、経糸と緯糸が交差するように織られた生地で構成されるものであり、
前記台衿の生地は、前記経糸及び前記緯糸のそれぞれ延び方向が前記台衿の延び方向に対して交差するものであって、前記台衿の延び方向に伸縮可能であり、
前記台衿の上端部近傍は、上側縁部に沿って前記衿羽根と縫製され、かつ、延び方向の端部近傍に前記衿羽根と縫製されない部分があり、
前記台衿の下端部近傍は、下側縁部に沿って前記本体部と縫製されており、
前記台衿は、前記衿を寝かせたときに、延び方向において、前記衿羽根と縫製されない部分が前記本体部に対して相対的に伸縮可能となっていることを特徴とするシャツ。
【請求項２】
前記台衿は、前記台衿の生地に芯地が重ねられて構成されており、
前記台衿の芯地は、経糸と緯糸が交差するように織られたものであり、
さらに前記台衿の芯地は、前記経糸及び前記緯糸のそれぞれ延び方向が前記台衿の延び方向に対して交差するものであって、前記台衿の延び方向に対して伸縮可能であることを特徴とする請求項１に記載のシャツ。
【請求項３】
前記台衿は、前記台衿の延び方向の一方の端部側にボタンが取り付けられ、他方の端部側にボタンホールが設けられており、
前記台衿は、前記衿を寝かせて前記ボタンを前記ボタンホールにかけたときに、前記ボタンの取付部分が延び方向に伸縮可能となっていることを特徴とする請求項１又は２に記載のシャツ。
【請求項４】
前記台衿は、前記衿羽根との縫製部分の針目が前記本体部との縫製部分の針目よりも広く、前記衿羽根との縫製部分の縫い糸が伸縮可能なストレッチ糸であることを特徴とする請求項１乃至３のいずれかに記載のシャツ。
【請求項５】
前記台衿は、前記衿羽根との縫製部分の針目の間隔が２．５４ｍｍ以上であることを特徴とする請求項４に記載のシャツ。
【請求項６】
前記衿羽根は、前記台衿の生地と同一の織り目をもつ生地で構成されるものであって、経糸と緯糸を有し、
前記衿羽根の生地は、経糸の延び方向又は緯糸の延び方向が前記台衿の延び方向に対して実質的に平行となっていることを特徴とする請求項１乃至５のいずれかに記載のシャツ。
【請求項７】
前記台衿は、前記衿を立てた状態で前記台衿の延び方向に所定の力を加えたときに、伸び率が前記衿羽根の伸び率よりも大きいことを特徴とする請求項６に記載のシャツ。
【請求項８】
前記本体部は、肩ヨークを有し、
前記台衿は、前記肩ヨークの上端部に対して取り付けられており、
前記肩ヨークの生地は、前記台衿の生地と同一の織り目をもつ生地で構成されるものであって、経糸と緯糸を有し、
前記肩ヨークの生地は、経糸の延び方向又は緯糸の延び方向が前記台衿の延び方向に対して実質的に平行となっていることを特徴とする請求項１乃至７のいずれかに記載のシャツ。
【請求項９】
前記台衿の外面は、前記衿を立てたときに、上下方向における中央から前記衿羽根との縫製部分までの間に縫い目がないことを特徴とする請求項１乃至８のいずれかに記載のシャツ。
【発明の詳細な説明】
【技術分野】
【０００１】
本発明は、ドレスシャツやカジュアルシャツ等のシャツに関するものである。
【背景技術】
【０００２】
従来から、伸縮性をもった繊維を使用したストレッチ生地のシャツが知られている（例えば、特許文献１）。このストレッチ生地のシャツは、使用者の動きに合わせて生地自体が伸縮するので、苦しくなく、快適な着心地となる。
【先行技術文献】
【特許文献】
【０００３】
【特許文献１】特開２０１７−１５００９７号公報
【発明の概要】
【発明が解決しようとする課題】
【０００４】
しかしながら、従来のストレッチ生地のシャツは、シャツを構成する全ての生地でストレッチ生地を使用している。そのため、例えば、シャツの首回りのサイズがわずかに小さい場合、ネクタイ等を締めるために衿を立てて第１ボタンを締めると、衿全体が伸びて型崩れしてしまう。そのため、衿を寝かしたときに、シャツ本来の衿のシルエットが崩れてしまうという問題がある。
【０００５】
そこで、本発明は、ネクタイ等をしても衿が型崩れしにくく、使用者の首回りに合わせて伸縮可能なシャツを提供することを課題とする。
【課題を解決するための手段】
【０００６】
ここで、シャツのネクタイを締めるとき、衿を立てて第１ボタンを留め、そして、台衿を囲むようにネクタイを締める。このとき、実際に首を圧迫するのは、台衿部分であり、特に台衿の衿羽根から張り出した部分（前身頃の前立てに対応する部分）である。また、ネクタイを締めた後に衿を寝かした状態においても、実際に首を圧迫するのは、台衿部分であり、台衿の衿羽根から張り出した部分である。すなわち、シャツは、少なくとも、台衿の衿羽根からの張出部分に伸縮性を持たせることで首の圧迫を緩和できると考えられる。その一方で、衿を寝かしたときに、衿をきれいなシルエットとするためには、シャツの第１ボタンを留めてネクタイを締めるときに、羽根衿をできる限り変形させないことが重要である。
そこで、本発明者は、台衿において、衿羽根との縫製部分以外の部分に伸縮性を付与し自由度を持たせつつ、衿羽根との縫製部分によって衿羽根に対してしっかりと留める。こうすることで、ネクタイを付けた際の首の圧迫を抑制しつつ、衿を寝かしたときの衿の型崩れを防止することを試みた。
【０００７】
このような考えのもと導き出された請求項１に記載の発明は、本体部と、衿を有し、前記衿は、衿羽根と、台衿を有し、前記衿羽根は、前記台衿を介して前記本体部の上端部近傍と接続されており、前記台衿は、経糸と緯糸が交差するように織られた生地で構成されるものであり、前記台衿の生地は、前記経糸及び前記緯糸のそれぞれ延び方向が前記台衿の延び方向に対して交差するものであって、前記台衿の延び方向に伸縮可能であり、前記台衿の上端部近傍は、上側縁部に沿って前記衿羽根と縫製され、かつ、延び方向の端部近傍に前記衿羽根と縫製されない部分があり、前記台衿の下端部近傍は、下側縁部に沿って前記本体部と縫製されており、前記台衿は、前記衿を寝かせたときに、延び方向において、前記衿羽根と縫製されない部分が前記本体部に対して相対的に伸縮可能となっていることを特徴とするシャツである。
【０００８】
ここでいう「近傍」とは、対象物の長さの１０％以内の範囲をいう。
「本体部の上端部近傍」とは、上端部から本体部の上下方向の長さの１０％以内の範囲をいい、上端部を含む。
「台衿の上端部近傍」とは、上端部から台衿の上下方向の長さの１０％以内の範囲をいい、上端部を含む。
「台衿の下端部近傍」とは、下端部から台衿の上下方向の長さの１０％以内の範囲をいい、下端部を含む。
「台衿の延び方向の端部近傍」とは、台衿の延び方向の端部から延び方向全体の長さの１０％以内の範囲をいい、台衿の延び方向の端部を含む。
【０００９】
本発明の構成によれば、台衿は、衿羽根と縫製される部分と衿羽根と縫製されない部分があり、衿を寝かしたときに、衿羽根と縫製されない部分が延び方向において衿羽根に対して相対的に伸縮可能となっている。すなわち、台衿は、衿を立てた状態や衿を寝かした状態において、衿羽根と縫製されない部分が伸びるので、使用者が着用し、ネクタイ等を締めたときに、首回りに合わせて少なくとも台衿の衿羽根と縫製されない部分が伸縮し、首回りが苦しくなりにくく、快適に着用できる。
本発明の構成によれば、台衿の衿羽根と縫製される部分では衿羽根との縫製によって伸びが抑制されるので、衿の縁が伸びすぎず、型崩れしにくい。
【００１０】
請求項２に記載の発明は、前記台衿は、前記台衿の生地に芯地が重ねられて構成されており、前記台衿の芯地は、経糸と緯糸が交差するように織られたものであり、さらに前記台衿の芯地は、前記経糸及び前記緯糸のそれぞれ延び方向が前記台衿の延び方向に対して交差するものであって、前記台衿の延び方向に対して伸縮可能であることを特徴とする請求項１に記載のシャツである。
【００１１】
本発明の構成によれば、台衿の芯地も台衿の生地と同一方向に伸縮可能となっているため、使用者が着用したときに、よりシルエットが崩れにくく、首回りが苦しくなりにくい。
【００１２】
請求項３に記載の発明は、前記台衿は、前記台衿の延び方向の一方の端部側にボタンが取り付けられ、他方の端部側にボタンホールが設けられており、前記台衿は、前記衿を寝かせて前記ボタンを前記ボタンホールにかけたときに、前記ボタンの取付部分が延び方向に伸縮可能となっていることを特徴とする請求項１又は２に記載のシャツである。
【００１３】
本発明の構成によれば、衿羽根との縫製部分で折り返しボタンをボタンホールにかけたときに、ボタンの取付部分が台衿の延び方向に伸縮可能となっているため、使用者が着用したときに、さらに首回りが苦しくなりにくく、快適に着用できる。
【００１４】
請求項４に記載の発明は、前記台衿は、前記衿羽根との縫製部分の針目が前記本体部との縫製部分の針目よりも広く、前記衿羽根との縫製部分の縫い糸が伸縮可能なストレッチ糸であることを特徴とする請求項１乃至３のいずれかに記載のシャツである。
【００１５】
本発明の構成によれば、着用したときに台衿がより伸びやすく、より快適に着用できる。
【００１６】
請求項４に記載のシャツにおいて、前記台衿は、前記衿羽根との縫製部分の針目の間隔が２．５４ｍｍ以上であることが好ましい（請求項５）。
【００１７】
請求項６に記載の発明は、前記衿羽根は、前記台衿の生地と同一の織り目をもつ生地で構成されるものであって、経糸と緯糸を有し、前記衿羽根の生地は、経糸の延び方向又は緯糸の延び方向が前記台衿の延び方向に対して実質的に平行となっていることを特徴とする請求項１乃至５のいずれかに記載のシャツである。
【００１８】
ここで「実質的に平行」とは、平行とみなせる程度に平行である状態をいい、完全な平行状態だけではなく、完全な平行状態から３度以内の範囲で傾いている状態も含む。
【００１９】
本発明の構成によれば、衿羽根が台衿に対して相対的に伸びにくく、型崩れがしにくい。
【００２０】
請求項６に記載のシャツにおいて、前記台衿は、前記衿を立てた状態で前記台衿の延び方向に所定の力を加えたときに、伸び率が前記衿羽根の伸び率よりも大きいことが好ましい（請求項７）。
【００２１】
請求項８に記載の発明は、前記本体部は、肩ヨークを有し、前記台衿は、前記肩ヨークの上端部に対して取り付けられており、前記肩ヨークの生地は、前記台衿の生地と同一の織り目をもつ生地で構成されるものであって、経糸と緯糸を有し、前記肩ヨークの生地は、経糸の延び方向又は緯糸の延び方向が前記台衿の延び方向に対して実質的に平行となっていることを特徴とする請求項１乃至７のいずれかに記載のシャツである。
【００２２】
本発明の構成によれば、肩ヨークが台衿とともに広がるので、台衿が伸びやすい。
【００２３】
請求項９に記載の発明は、前記台衿の外面は、前記衿を立てたときに、上下方向における中央から前記衿羽根との縫製部分までの間に縫い目がないことを特徴とする請求項１乃至８のいずれかに記載のシャツである。
【００２４】
本発明の構成によれば、いわゆる段飾りを設けていないため、台衿が伸びやすい。
【発明の効果】
【００２５】
本発明のシャツによれば、ネクタイ等をしても衿が型崩れしにくく、使用者の首回りに合わせて伸縮可能である。
【図面の簡単な説明】
【００２６】
【図１】本発明の第１実施形態に係るシャツを模式的に示した図であり、（ａ）は正面図を表し、（ｂ）は背面図を表す。
【図２】図１（ａ）のシャツの要部の拡大正面図であり、衿を立てた状態を表す。
【図３】図２のシャツの要部の正面図である。
【図４】図３のシャツの断面図であり、（ａ）は図３のＡ−Ａ断面図であり、（ｂ）は図３のＢ−Ｂ断面図である。
【図５】図１の台衿の分解斜視図である。
【図６】図１の衿羽根の分解斜視図である。
【図７】本発明の第１実施形態に係るシャツの一例の背面図であり、（ａ）は衿を立てた状態を示し、（ｂ）は衿を寝かした状態を示す。
【図８】本発明の効果を確認するために行った実験の説明図であり、衿を立てた状態を示す平面図である。
【発明を実施するための形態】
【００２７】
以下、本発明の実施形態について詳細に説明する。以下の説明において特に断りのない限り、衿３を寝かした状態（図１）を基準姿勢とする。
【００２８】
本発明の第１実施形態のシャツ１は、図１のように長袖のドレスシャツであり、主要構成部位として、本体部２と、衿３と、袖５ａ，５ｂを備え、これらの各部分が裁断した布状の生地を縫製することで形成されている。
【００２９】
本体部２は、図１のように、前身頃１０，１１と、後身頃１２と、肩ヨーク１３で構成されている。
前身頃１０，１１は、布状の前身頃形成生地１５，１６で構成されている。
後身頃１２は、布状の後身頃形成生地１７で構成され、周方向の両端部が着用者の胴体を囲むように前身頃１０，１１と接続されている。
前身頃形成生地１５，１６及び後身頃形成生地１７は、同一又は同一種類の生地であって、ともに図３のように経糸２５と緯糸２６が交差（本実施形態では直交）した平織り生地であり、繊維自体にストレッチ性をもたない布帛生地である。
前身頃形成生地１５，１６及び後身頃形成生地１７は、いずれも経取り又は緯取りされている。
【００３０】
肩ヨーク１３は、図１のように、肩から背中にかけての切り替え部であり、前身頃１０，１１と後身頃１２と衿３を接続する部分である。
肩ヨーク１３は、２枚の肩ヨーク形成生地２０，２１が重なって形成されており、前身頃１０，１１及び後身頃１２とともに環状のアームホールを構成しており、アームホールが袖５ａ，５ｂと接続されている。
肩ヨーク形成生地２０，２１は、前身頃形成生地１５，１６及び後身頃形成生地１７と同一又は同一種類の生地で構成されている。すなわち、肩ヨーク形成生地２０，２１は、図３のように、経糸２５と緯糸２６が交差した平織り生地であり、繊維自体にストレッチ性をもたない布帛生地である。
肩ヨーク形成生地２０，２１は、ともに経取り又は緯取りされている。
【００３１】
衿３は、肩ヨーク１３の上端部及び前身頃１０，１１の上端部に跨って取り付けられ、着用者の首の周囲を囲む部位である。衿３は、着用時に着用者の首回りに位置し、図２のように、台衿３０と、衿羽根３１から構成されている。
【００３２】
台衿３０は、衿羽根３１を立たせるための土台を構成する帯状の部位である。
台衿３０は、図５のように台衿形成生地３５，３６と、台衿用芯地３７を備えている。
台衿形成生地３５，３６は、台衿３０の外面を構成し、帯状に延びた生地である。
台衿形成生地３５，３６は、経糸２５と緯糸２６が交差（本実施形態では直交）した平織り生地であり、繊維自体にストレッチ性をもたない布帛生地である。
本実施形態では、台衿形成生地３５，３６は、肩ヨーク形成生地２０，２１及び後身頃形成生地１７と同一又は同一種類の生地で構成されている。
【００３３】
台衿形成生地３５，３６は、図５のように肩ヨーク形成生地２０，２１及び後身頃形成生地１７とは異なり、バイアス取りされている。すなわち、台衿形成生地３５，３６は、経糸２５と緯糸２６が斜め方向（首回り方向に対して交差する方向）に延びており、隣接する経糸２５，２５と隣接する緯糸２６，２６とでなす四角形の対角線の方向にストレッチ性を有している。
本実施形態では、台衿形成生地３５，３６は、正バイアス取りされており、経糸２５と緯糸２６が互いに直交し、緯糸２６が台衿３０の延び方向に対して４５度の角度で傾斜している。
【００３４】
台衿用芯地３７は、台衿３０の形状を維持する芯地であり、台衿形成生地３５，３６よりも剛性が高い生地である。
台衿用芯地３７は、台衿形成生地３５，３６と同様、帯状に延びている。
台衿用芯地３７は、繊維がストレッチ性を有したストレッチ芯地であって、経糸４５と緯糸４６が交差した平織り芯地であり、バイアス取りされている。すなわち、台衿用芯地３７は、図５のように、経糸４５と緯糸４６が斜め方向（首回り方向に対して交差する方向）に延びており、隣接する経糸４５，４５と隣接する緯糸４６，４６とでなす四角形の対角線の方向にストレッチ性を有している。
本実施形態では、台衿用芯地３７は、正バイアス取りされており、経糸４５と緯糸４６が互いに直交し、緯糸４６が台衿３０の延び方向に対して４５度の角度で傾斜している。
【００３５】
台衿３０は、図５のように延び方向（首回り方向）における衿羽根３１との縫製部分の外側であって、一方の端部にボタン４０が設けられており、他方の端部にボタンホール４１が設けられている。
【００３６】
ボタン４０は、公知のボタンであり、ボタンホール４１に通過させて、ボタンホール４１と係合可能となっている。
【００３７】
ボタンホール４１は、台衿形成生地３５，３６及び台衿用芯地３７に跨って設けられた貫通溝である。
ボタンホール４１は、図３のように、幅方向（延び方向に対する直交方向）が台衿形成生地３５，３６の経糸２５及び緯糸２６の延び方向、台衿用芯地３７の経糸４５及び緯糸４６の延び方向、のそれぞれに対して交差している。すなわち、本実施形態のシャツ１は、台衿形成生地３５，３６及び台衿用芯地３７がボタンホール４１の幅方向に収縮しやすいため、ボタンホール４１を幅方向に広げやすくボタン４０を留めやすい。
【００３８】
衿羽根３１は、図６のように、衿羽根形成生地５０，５１と、衿羽根用芯地５２を備えている。
衿羽根形成生地５０，５１は、衿羽根３１の外面を構成し、帯状に延びた生地である。衿羽根形成生地５０，５１は、台衿形成生地３５，３６と同一又は同一種類の生地で構成されている。すなわち、衿羽根形成生地５０，５１は、繊維自体にストレッチ性を持たない布帛生地である。
衿羽根形成生地５０，５１は、ともに経糸２５と緯糸２６が交差（本実施形態では直交）した平織り生地であり、経取り又は緯取りされている。
【００３９】
衿羽根用芯地５２は、衿羽根３１の形状を維持する芯地であり、台衿形成生地３５，３６よりも剛性が高い生地である。
衿羽根用芯地５２は、二枚の芯地５５，５６が重ねられて形成されている。
第１芯地５５は、経糸４５と緯糸４６が交差（本実施形態では直交）した平織り芯地であり、経取り又は緯取りされている。
第２芯地５６は、第１芯地５５と同一又は同一種類の芯地であり、経糸４５と緯糸４６が交差（本実施形態では直交）した平織り芯地である。第２芯地５６は、第１芯地５５とは異なり、バイアス取りされている。すなわち、第２芯地５６は、経糸４５と緯糸４６が斜め方向（首回り方向に対して交差する方向）に延びており、隣接する経糸４５，４５と隣接する緯糸４６，４６とでなす四角形の対角線の方向にストレッチ性を有している。
本実施形態では、第２芯地５６は、正バイアス取りされており、経糸４５と緯糸４６が互いに直交し、緯糸４６が台衿３０の延び方向に対して４５度の角度で傾斜している。
【００４０】
続いて、本実施形態のシャツ１の各部位の位置関係について説明する。特に本実施形態の特徴の一つである衿３の周囲について重点的に説明する。なお、図２のように衿羽根３１を立てた状態を基準とする。
【００４１】
シャツ１は、図３のように、衿３を立てた状態において、本体部２の上端部に台衿３０が接続されており、台衿３０の上端部に衿羽根３１が接続されている。
衿羽根３１は、図４のように、衿羽根形成生地５０上に衿羽根用芯地５２が重ねられ、接着剤によって互いに接着されて一体となっている。
衿羽根形成生地５０及び衿羽根用芯地５２は、それぞれの上端部分がともに片側に折り返されて折り返し部８０が形成されている。
一方、衿羽根形成生地５１は、その上端部分が衿羽根形成生地５０及び衿羽根用芯地５２と対向するように折り返されて折り返し部８１が形成されている。
そして、衿羽根形成生地５０及び衿羽根用芯地５２の折り返し部８０と衿羽根形成生地５１の折り返し部８１が厚み方向に重ねられており、重なり部分において上側縁部に沿って縫製されて衿羽根用縫製部６８が形成されている。
【００４２】
衿羽根用縫製部６８は、衿羽根３１の上端部近傍が重ねられ、衿羽根３１の上側縁部に沿って縫製された部位であり、非伸縮糸７５で本縫いされた部位である。
非伸縮糸７５は、通常の縫製に使用される糸であって、伸縮率が後述する伸縮糸７６に比べて小さい糸であり、例えば、シャッペスパン６０番などが使用できる。
以下、非伸縮糸７５と同様の糸については、非伸縮糸７５と記し、説明を省略する。
衿羽根用縫製部６８の縫い目は、１インチにつき、１０針超過、１５針以下となる間隔で設けられていることが好ましい。すなわち、衿羽根用縫製部６８の針目の間隔は、１．６９ｍｍ以上２．５４ｍｍ未満であることが好ましい。
【００４３】
台衿３０は、延び方向の中間部であって本体部２とは反対側の端部近傍が衿羽根３１と接続されている。すなわち、台衿３０は、衿３を立てたときに、上端部近傍が衿羽根３１の下端部近傍と接続されている。また、台衿３０は、延び方向において衿羽根３１から両外側に張り出しており、張出部９０，９１が形成されている。
台衿３０は、張出部９０，９１にそれぞれボタン４０又はボタンホール４１が設けられている。
張出部９０，９１は、衿羽根３１と縫製されない部分であって、延び方向に伸縮可能な部分である。張出部９０，９１は、ボタン４０の取付部分又はボタンホール４１の形成部分でもある。
【００４４】
台衿３０は、図４のように、台衿形成生地３５上に台衿用芯地３７が積層され、互いに接着されている。
台衿形成生地３５は、その上端部分が台衿用芯地３７と重なった状態で折り返されて上側折り返し部８２が形成されている。また、台衿形成生地３５は、上側折り返し部８２と、衿羽根形成生地５０及び衿羽根用芯地５２が縫製されて位置決め用縫製部７０が形成されている。
【００４５】
位置決め用縫製部７０は、台衿３０の上側縁部に沿って縫製された部位であり、伸縮糸７６で本縫いされた部位である。
伸縮糸７６は、繊維状に加工されたポリウレタンを含むストレッチ糸であり、伸縮糸７６の伸縮率は、２５パーセント以上であることが好ましい。
以下、伸縮糸７６と同様の糸については、伸縮糸７６と記し、説明を省略する。
位置決め用縫製部７０の縫い目は、従来の縫い目に比べて粗く、１インチにつき、６針以上１０針以下となる間隔で設けられていることが好ましい。すなわち、位置決め用縫製部７０の針目の間隔は、２．５４ｍｍ以上４．２３ｍｍ以下であることが好ましい。
位置決め用縫製部７０は、片側が台衿形成生地３５及び台衿用芯地３７で覆われ、反対側も衿羽根形成生地５１及び台衿形成生地３６で覆われており、外部に露出しない。
【００４６】
台衿形成生地３６は、その上端部分が台衿形成生地３５及び台衿用芯地３７の上側折り返し部８２と対向するように折り返されて上側折り返し部８３が形成されており、上側折り返し部８２とともに衿羽根３１の下端部近傍を挟んでいる。そして、台衿３０は、上側折り返し部８２、衿羽根形成生地５０、衿羽根用芯地５２、衿羽根形成生地５１、及び上側折り返し部８３が縫製されて上部接続用縫製部７１が形成されている。
【００４７】
上部接続用縫製部７１は、位置決め用縫製部７０よりも上部側（本体部２とは反対側）に位置し、台衿３０の上側縁部に沿って位置決め用縫製部７０と実質的に平行になるように縫製された部位であり、非伸縮糸７５で本縫いされた部位である。
上部接続用縫製部７１の縫い目は、１インチにつき、１０針以上１５針以下となる間隔で設けられていることが好ましい。すなわち、上部接続用縫製部７１の針目の間隔は、１．６９ｍｍ以上２．５４ｍｍ未満であることが好ましい。
上部接続用縫製部７１は、片側が台衿形成生地３５及び台衿用芯地３７で覆われ、反対側も台衿形成生地３６で覆われており、外部に露出しない。
【００４８】
台衿形成生地３５は、その下端部分が台衿用芯地３７の下端部から張り出しており、当該張出部分が台衿用芯地３７の下端部を覆うように、折り返されて下側折り返し部８５が形成されている。また、台衿形成生地３５は、台衿３０の下端部を構成する下側折り返し部８５が縫製されて芯地用縫製部７２が形成されている。
芯地用縫製部７２は、台衿３０の下側縁部に沿って縫製された部位であり、伸縮糸７６で本縫いされた部位である。
位置決め用縫製部７０の縫い目は、従来の縫い目に比べて粗く、１インチにつき、６針以上１０針以下となる間隔で設けられていることが好ましい。すなわち、位置決め用縫製部７０の針目の間隔は、２．５４ｍｍ以上４．２３ｍｍ以下であることが好ましい。
【００４９】
台衿形成生地３６は、図４のように、その下端部分が台衿形成生地３５の下側折り返し部８５と対向するように折り返されて下側折り返し部８６が形成されている。
台衿形成生地３６は、下側折り返し部８６が台衿形成生地３５の下側折り返し部８５とともに肩ヨーク形成生地２０，２１の上端部近傍又は後身頃形成生地１７の上端部近傍を挟んでいる。
そして、台衿３０は、台衿形成生地３５の下側折り返し部８５、肩ヨーク形成生地２０，２１又は後身頃形成生地１７、及び台衿形成生地３６の下側折り返し部８６が縫製されて下部接続用縫製部７３が形成されている。
【００５０】
下部接続用縫製部７３は、芯地用縫製部７２よりも本体部２側に位置し、本体部２の上側縁部に沿って縫製された部位であり、非伸縮糸７５で本縫いされた部位である。
下部接続用縫製部７３の縫い目は、１インチにつき、１０針以上１５針以下となる間隔で設けられていることが好ましい。すなわち、下部接続用縫製部７３の針目の間隔は、１．６９ｍｍ以上２．５４ｍｍ未満であることが好ましい。
【００５１】
台衿３０の延び方向（首回り方向）の端部近傍は、図３のように、台衿３０の延び方向の縁部に沿って縫製されており、台衿用縫製部７４が形成されている。
【００５２】
台衿用縫製部７４は、伸縮糸７６で本縫いされた部位である。
台衿用縫製部７４の縫い目は、従来の縫い目に比べて粗く、１インチにつき、６針以上１０針以下となる間隔で設けられていることが好ましい。すなわち、台衿用縫製部７４の針目の間隔は、２．５４ｍｍ以上４．２３ｍｍ以下であることが好ましい。
【００５３】
また、台衿３０の外面は、上下方向において、中央から衿羽根３１との縫製部分たる上部接続用縫製部７１までの間に縫い目がない。すなわち、台衿３０の外面は、上下方向において、中央から上部接続用縫製部７１までの間に縫い目がなく、いわゆる段飾りを設けていない。
【００５４】
本実施形態のシャツ１によれば、衿３を寝かした通常の使用状態において、台衿３０は、衿羽根３１と縫製される部分において、衿羽根３１との重なりによって台衿３０の延び方向への伸びが抑制されるので、型崩れしにくい。また、本実施形態のシャツ１によれば、台衿３０は、衿羽根３１と縫製されない部分が伸びるので、使用者が着用したときに首回りが苦しくなりにくく、快適に着用できる。
【００５５】
本実施形態のシャツ１によれば、衿羽根３１が経取り又は緯取り、台衿３０がバイアス取りである。また、衿羽根３１の衿羽根形成生地５０，５１は、経糸２５の延び方向又は緯糸２６の延び方向が台衿３０の上側縁部に対して実質的に平行となっている。そのため、ボタン４０を外し、衿羽根３１を広げた状態で延び方向に所定の力を加えたときに台衿３０の伸び率が衿羽根３１の伸び率よりも大きい。その結果、台衿３０が衿羽根３１に対して相対的に伸び、使用者が着用したときに首回りが苦しくなりにくく、快適に着用できる。
【００５６】
本実施形態のシャツ１によれば、衿羽根３１が経取り又は緯取り、台衿３０がバイアス取り、本体部２が経取り又は緯取りである。そのため、例えば、図７のように、ギンガムチェック柄、すなわち、縦横ともに同じ太さの縞模様をした格子状の柄の生地によってシャツ１を形成したとしても、衿羽根３１の柄に対して傾いた柄となる台衿３０の柄が衿羽根３１によって隠されて実質的に見えず、統一感のある柄となる。
なお、シャツ１の柄は、特に限定されるものではない。例えば、無地でもあってもよいし、ストライプ柄やボーダー柄などの方向性をもった柄であってもよい。
【００５７】
上記した実施形態では、台衿形成生地３５，３６として、繊維自体にストレッチ性がない布帛生地であったが、本発明はこれに限定されるものではない。例えば、ポリウレタン製繊維を含ませることによって、繊維自体にもストレッチ性を持たせてもよい。
【００５８】
上記した実施形態では、各生地１５〜２１，３５，３６，５０，５１は、平織りの生地であったが、本発明はこれに限定されるものではない。各生地１５〜２１，３５，３６，５０，５１は、綾織りの生地であってもよいし、朱子織の生地であってもよい。
【００５９】
上記した実施形態では、シャツ１として長袖のドレスシャツの場合について説明したが、本発明はこれに限定されるものではない。シャツ１は、カジュアルシャツであってもよい。また、シャツ１は、半袖シャツであってもよい。
【００６０】
上記した実施形態は、本発明の技術的範囲に含まれる限り、各実施形態間で各構成部材を自由に置換や付加できる。
【実施例】
【００６１】
本発明の効果を確認するために行った実験について説明する。
【００６２】
（実験例１）
台衿３０の全長が４６ｃｍで、生地がいずれも綿１００％のシャツ１を用意した。そして、図８のように衿３を立てた状態でシャツ１を広げ、ボタン４０及びボタンホール４１に力を加えて延び方向に引っ張り、台衿３０の衿羽根３１との縫製部分（測定部位Ａ）の長さの変化及び台衿３０の中央よりやや下部（測定部位Ｂ）の長さの変化を測定し、これを実験例１とした。
【００６３】
（実験例２）
実験例１において、各生地を綿７２％、ポリエステル２５％、ポリウレタン３％の生地を使用したこと以外は同様とした。これを実験例２とした。
【００６４】
実験例１，２においてともに、台衿３０の衿羽根３１との縫製部分（測定部位Ａ）は、ほとんど伸びなかった（変化量０．５ｃｍ以下）。一方、台衿３０の中央よりやや下部（測定部位Ｂ）では、測定部位Ａに比べて相対的に伸びた（変化量１ｃｍ以上）。
特にポリウレタンを織り込んだ実験例２では、測定部位Ｂの伸びが２ｃｍ以上と伸びが顕著であった。
このことから、本発明のシャツ１は、ネクタイを付けるために、衿を立てボタン４０を締めた状態において衿羽根３１の形状がほとんど変わらず、型崩れせず、使用者の首回りに合わせて台衿３０が衿羽根３１に対して相対的に伸縮可能であることが検証された。
【符号の説明】
【００６５】
１  シャツ
２  本体部
３  衿
６  身頃
１０，１１  前身頃
１２  後身頃
１３  肩ヨーク
１７  後身頃形成生地
２０，２１  肩ヨーク形成生地
２５  経糸
２６  緯糸
３０  台衿
３１  衿羽根
３５，３６  台衿形成生地
３７  台衿用芯地
４０  ボタン
４１  ボタンホール
４５  経糸
４６  緯糸
５０，５１  衿羽根形成生地
５２  衿羽根用芯地
６８  衿羽根用縫製部
７０  位置決め用縫製部
７１  上部接続用縫製部
７２  芯地用縫製部
７３  下部接続用縫製部
７４  衿用縫製部
７５  非伸縮糸
７６  伸縮糸
【図１】
2020007684.tif 000003
【図２】
2020007684.tif 000004
【図３】
2020007684.tif 000005
【図４】
2020007684.tif 000006
【図５】
2020007684.tif 000007
【図６】
2020007684.tif 000008
【図７】
2020007684.tif 000009
【図８】
2020007684.tif 000010